(57)【要約】【課題】ティッシュボックスに代表される各種のボックスに対して、小型で取り付けがしやすく、しかも安定した取り付け強度が得られるボックス用ホルダを提供する。【解決手段】ボックスＴの側面に沿うガイド片３に、ボックスの側面に形成された切り込みＲの内側上部に挿入可能に突出させて形成した爪部４を設けたボックス取付部５と、ボックス取付部５のガイド片３に対して直交する方向に器材取付部１２を設けたボックス用ホルダ１とする。器材取付部１２は選択図に示すような爪部４の突出方向、爪部４の突出と反対方向、さらにボックスＴの底面Ｔｄに沿う方向等に設けることができる。また、器材取付部１２の各種器材への取り付け構造は、吸盤８による吸着構造、器材取付片７に形成された取付孔６，６’を使った引っ掛け構造、磁石による磁気吸着構造等、適宜な構造で実施できる。【選択図】図７
2004148016.tif 000002
【特許請求の範囲】
【請求項１】
ボックスの側面に沿うガイド片に、該ボックスの側面に形成された切り込みの内側上部に挿入可能に突出させて形成した爪部を設けたボックス取付部と、該ボックス取付部のガイド片に対して直交する方向に設けた器材取付部からなるボックス用ホルダ
【請求項２】
器材取付部はボックス取付部の上方で、かつ、ボックス取付部のガイド片における爪部の突出方向と同じ方向に設けたことを特徴とする請求項１に記載のボックス用ホルダ
【請求項３】
器材取付部はボックス取付部のガイド片における爪部の形成面と反対側の面に設けたことを特徴とする請求項１に記載のボックス用ホルダ
【請求項４】
器材取付部はボックス取付部のガイド片における爪部の突出方向と同じ方向で、かつ、該ガイド片の側方の端面から直角に折れ曲った状態で形成することを特徴とする請求項１に記載のボックス用ホルダ
【請求項５】
ボックス取付部をボックスの側面に取り付けた際、ガイド片の側方の端面がボックスの側面の端部と略同一となるように爪部をボックス側面の切り込み内に配置したことを特徴とする請求項１〜３のいずれかに記載のボックス用ホルダ
【請求項６】
ボックス取付部をボックスの側面に取り付けた際、ガイド片の側方の端面から直角に折れ曲がって形成された器材取付部がボックスの側面の端部から折れ曲がって形成された底面と略同一に沿うように爪部をボックス側面の切り込み内に配置したことを特徴とする請求項１または４に記載のボックス用ホルダ
【請求項７】
器材取付部は器材取付片に設けた取付孔により構成されることを特徴とする請求項１〜６のいずれかに記載のボックス用ホルダ
【請求項８】
器材取付部は器材取付片に、その吸着面がボックス取付片部のガイド片に対して直角で、かつ、該ガイド片の端面から突出するように吸盤を取り付けて構成されることを特徴とする請求項１〜７のいずれかに記載のボックス用ホルダ
【請求項９】
器材取付部は器材取付片に、その磁気吸着面がボックス取付片部のガイド片に対して直角で、かつ、該ガイド片の端面から突出するように磁石を取り付けて構成されることを特徴とする請求項１〜８のいずれかに記載のボックス用ホルダ
【発明の詳細な説明】
【０００１】
【発明の属する技術分野】
本発明は、ティッシュ入りのボックスに代表される紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等の取り付け用としてのボックス用ホルダは、多くの構造が知られていると共に多数出願されている。特に磁石を用いて磁気吸着により取り付けるタイプのボックス用ホルダは、鉄等の強磁性体で形成された、例えば冷蔵庫等の強磁性体製の被着物品に磁力により取り付けることができるため、ティッシュボックス等を希望の場所に設置できて便利であり、従来技術には、底面に磁石を設けた箱状体でティッシュボックスの底部を覆うと共に、ティッシュボックス側面に上記の箱状体に形成された複数の係止突片を作用させて取り付ける構造が知られている（実用新案文献１参照）。また、裏面に磁石が取り付けられたコ字形の取り付け具にてティッシュボックス側面を保持爪などで押込む構造も公知である（特許文献１参照）。
【０００３】
【実用新案文献１】
実開昭６２−３１０３２号公報（第１−３頁、第１−９図）
【特許文献１】
特開平１０−２０１６５９号公報（第２−３頁、第１−６図）
【０００４】
【発明が解決しようとする課題】
しかしながら、これら従来の構成によると、実用新案文献１においては大型のホルダが必要なためコスト高になると共に取り付け作業がしにくい不都合があり、さらにティッシュボックスの側面を係止突片で係合させる構造のため、上記の取り付け作業がしにくいことも影響して、安定した取り付け強度が得にくいものであった。
【０００５】
また、特許文献１においては小型化はするものの、ティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすいものであった。
【０００６】
そこで、本発明は小型でティッシュボックス等のボックスへの取り付け作業がしやすく、しかも安定した取り付け強度も得られるボックス用ホルダ提供することを目的とする。なお、ボックス用ホルダを取り付ける器材は、強磁性体物品に限らず各種器材への対応を可能とした方が利便性が広がるため、その態様についても併せて提供するものとする。
【０００７】
【課題を解決するための手段】
本発明は上記課題を解決するために鋭意検討の結果、ボックスの側面に形成される解体用切り込み等の切り込みに取り付けることができるボックス用ホルダであれば課題を解決することを究明したものであり、ボックスの側面に沿うガイド片に、該ボックスの側面に形成された切り込みの内側上部に挿入可能に突出させて形成した爪部を設けたボックス取付部と、該ボックス取付部のガイド片に対して直交する方向に設けた、各種器材へ取り付けるための器材取付部からなるボックス用ホルダとして実施することができる。
【０００８】
なお、器材取付部はボックス取付部の上方で、かつ、ボックス取付部のガイド片における爪部の突出方向と同じ方向に設けるようにすると、ボックス方向に納まるため、ボックスの幅方向に収納性の良いものとなる。
【０００９】
また、器材取付部はボックス取付部のガイド片における爪部の形成面と反対側の面に設けるようにすると、ボックスと干渉することがなくなるので、ボックス用ホルダは高さ方向にコンパクトな態様となる。
【００１０】
さらに、器材取付部はボックス取付部のガイド片における爪部の突出方向と同じ方向で、かつ、該ガイド片の側方の端面から直角に折れ曲った状態で形成するようにすると、ボックスの幅方向で、かつ、ボックスと干渉しない態様となるので、よりコンパクトなものとすることができる。
【００１１】
なお、ボックス取付部をボックスの側面に取り付けた際、ガイド片の側方の端面がボックスの側面の端部と略同一となるように爪部をボックス側面の切り込み内に配置すると、ボックス用ホルダを各種器材に取り付けた時、ボックス用ホルダと器材間の間隙が少なくなるため、その取付状態が安定するので好ましい。
【００１２】
また、ボックス取付部をボックスの側面に取り付けた際、ガイド片の側方の端面から直角に折れ曲がって形成された器材取付部がボックスの側面の端部から折れ曲がって形成された底面と略同一に沿うように爪部ボックス側面の切り込み内に配置した場合は、ボックス用ホルダとボックス間の間隙が少ないため、その取り付け状態が安定するので好ましい。
【００１３】
そして、器材取付部は器材取付片に設けた取付孔により構成されるようにすると、各種器材に釘状に突出した物があれば、ボックス用ホルダは突出物に対し該孔部を引っ掛けて取り付けることができる。
【００１４】
なお、器材取付部は器材取付片に、その吸着面がボックス取付片部のガイド片に対して直角で、かつ、該ガイド片の端面から突出するように吸盤を取り付けて構成すれば、平坦な器材に対しボックス用ホルダを吸着力で取り付けることができる。
【００１５】
また、器材取付部は器材取付片に、その磁気吸着面がボックス取付片部のガイド片に対して直角で、かつ、該ガイド片の端面から突出するように磁石を取り付けて構成されるようにすれば、ボックス用ホルダは強磁性体物品に対し磁気吸着力にて取り付けることができる。
【００１６】
【発明実施の形態】
本発明におけるボックス用ホルダは、ティッシュボックスに代表される紙板製等のボックスの側面に形成される、解体用切り込み等の切り込みを利用してボックス用ホルダを取り付けることができ、ボックス用ホルダをボックスに取り付けた状態で、ボックス取付部に対して直交する方向に設けた器材取付部を、取り付ける器材の表面と略に並行となるように配置することにより、各種器材への取り付けを簡単に実施できるようにしたことを特徴とするもので、以下、ティッシュボックス用に使用する構成について実施例に沿って詳細に説明する。
【００１７】
図１〜図２は、本発明の第１の実施例を示す。
【００１８】
本実施例におけるボックス用ホルダ１は、図１（ａ）の分解斜視図に表されるように、側方下部にガイド片３及び爪部４からなるボックス取付部５を形成し、上部に大径部６ａと小径部６ｂからなる略瓢箪型の取付孔６を設けた器材取付片７を突出して形成した、板厚２ｍｍ程度の合成樹脂製等でなる断面略逆Ｌ型のホルダ本体２と、軟質樹脂製等でなる汎用形状の吸盤８とで構成される。
【００１９】
そして、吸盤８は、その先端部９を矢印で示すように器材取付片７に設けられた取付孔６の大径部６ａに差し込んだ後、上方に引き上げることにより、図１（ｂ）の吸盤取り付け状態の斜視図及び図２（ａ）に表わされるＡ−Ａ断面図のように、取付孔６の小径部６ｂに吸盤８の軸部１０が嵌入して取り付けられ、器材取付部１２が形成される。この状態で、吸盤８の吸着面１１はガイド片３に対して略直角状態で端面１６から突出して取り付けられており、その突出量Ｊは吸盤作用が働く最小量に設定するのが好ましい。
【００２０】
なお、図２（ａ）に表わされるように、器材取付片７は袋状に形成されており、片方の吸盤取付壁７ａに設けた取付孔６と対称位置の他方の吸盤取付壁７ｂにも、同様に取付孔６’が形成されている。この取付孔６’に吸盤８を取り付ければ、同一方向に吸盤を有し、かつ、爪部が対向する別の態様とすることが可能となる。従って、後述するようにボックスの両方の側面に、各々吸盤取り付け位置を変えた同一部材のボックス用ホルダを使用することができるので、ホルダ本体２の生産用の成形金型面数を削減できる利点が生じる。
【００２１】
勿論、デザイン等を重視する場合は１つの取付孔のみとしても可能であり、例えば図２（ａ）における取付孔６のみの物と取付孔６’のみの物の２つ作製して使用しても、何ら支障はない。
【００２２】
ボックス取付部５に形成される爪部４は、図２（ａ）に表わされるＡ−Ａ断面図、図２（ｂ）に表わされるＢ−Ｂ断面図、図２（ｃ）に表わされる部分拡大断面図のように、ガイド片３の下部に切り欠き１３を介して、内側に突出するように形成されている。突出量は、最大部で１〜２ｍｍ程度であり、開放端部には湾曲部１４を設けて差し込みやすくし、その近傍には取り付けを確実に行うように突起部１５を形成している。この突起部１５の先端はガイド片３の内面と同一程度が好ましい。
【００２３】
なお、上記の切り欠き１３は、ホルダ本体２を樹脂の射出成形等にて製作する際に、爪部４を簡単な金型構造で得るために設けたものであり、必ずしも必要なものではない。例えば、図２（ｄ）に表わす変形例のように、切り欠きを設けず想像線で示す爪部４’状態となるような金型形状としておき、射出成形後の樹脂の熱収縮により断面形状の物品として得られるようにすることもできる。但し、切り欠き１３は後述するボックスへの取付時に爪部４の位置が判り易い利点があるため、切り欠きを省略する場合は、適宜の目印を設けるのが好ましい。
【００２４】
また、爪部４の形成位置は、ティッシュボックスの切り込みに装着がしやすく、かつ、取り付けた際ガイド片３の端面１６がティッシュボックスから突出しないように設定される。即ち、図中Ｋで示す爪部４の先端から器材取付片７の下面までの間隙寸法は、市販の各種ティッシュボックスの幅寸法（図３のＫ’参照）が４５ｍｍ程度であるので４８〜５０ｍｍの範囲が好ましく、爪部４の側面〜ガイド片の端面１６までの幅位置寸法Ｌ，Ｍは、市販の各種ティッシュボックスの両側面の下端間に形成される底面から切り込み上端までの高さ寸法（図３のＬ’参照）が２０ｍｍ程度であるので１５〜１９ｍｍの範囲が好ましい対応となる。なお、爪部の幅寸法Ｎは約１０ｍｍ程度で良い。
【００２５】
次に、本実施例をティッシュボックスに取り付ける手順と作用について図３〜７を用いて説明する。
【００２６】
図３の斜視図に示すように、ティッシュボックスＴの側面Ｔａは、上折り返し面Ｔｂと下折り返し面Ｔｃを接着により接合して形成されており、底面Ｔｄ側から延設される下折り返し面Ｔｃの中央上部に破線で表わす解体用の切り込みＲが設けられている。この切り込みＲの形状は一例として図４（ａ）におけるＲ１、図４（ｂ）におけるＲ２、図４（ｃ）にけるＲ３で表わすように多くの形状が採用されているが、本実施例においては爪部４が差し込めさえすれば支障無いため各種形状に対応することができる。なお、図４（ａ）における細い実線は押り曲げ用の窪み線である。また、ティッシュボックスＴにおけるＴｅは上面、Ｔｆは下面、Ｔｇは表面である。
【００２７】
そして、先ず図３に表わすように、ティッシュボックスＴの側面Ｔａに設けた切り込みＲで形成される切り離し片Ｓを矢印の方向に押し込み、切り込み孔Ｓ１を作製した状態（図５（ｂ）参照）で、ボックス用ホルダ１をその吸盤８の吸着面１１がティッシュボックスＴの底面Ｔｄと同方向になるようにして、爪部４がティッシュボックスＴの切り込み孔Ｓ１に対向するよう位置させる。
【００２８】
次に、図５（ａ）の装着前の断面図に表わすようにボックス用ホルダ１の爪部４をティッシュボックスＴの切り込み孔Ｓ１に挿入させる。この時、爪部４先端から器材取付片７の下面までの間隙寸法Ｋは、前述の通りティシュボックスＴの切り込みＲ〜上面Ｔｅ迄の幅寸法Ｋ’より若干大きめに設定されているため、器材取付片７はティシュボックスＴの上面Ｔｅの上方に位置することになる。
【００２９】
この状態で、ボックス用ホルダ１を上方に引き上げると爪部４の上端が湾曲部１４により大きく開口しているため、爪部４はティシュボックスＴにおける切り込みＲの上方の内面をスムーズに移動し、図５（ｂ）の装着状態の断面図及び図５（ｃ）の部分拡大断面図に表わすように爪部４の根元４ａが切り込みＲに当接し装着が完了する。この時、ティッシュボックスＴの側面Ｔａはボックス用ホルダの１のガイド片３と爪部４の突起部１５間に、該突起部１５が元の位置に戻ろうとする反発力によって狭持されることになるため確実に取り付けられる。
【００３０】
なお、この時、ボックス用ホルダ１におけるガイド片３の端面１６は、前述した寸法関係を実施することにより図６（ａ）のティッシュボックスＴの底面Ｔｄ側から見た斜視図に表わすように、ティッシュボックスＴの底面Ｔｄと略同一乃至は若干引っ込んで位置することになる。
【００３１】
そして、図６（ａ）に表わすように、ティッシュボックスＴの他方の側面Ｔａ’には、吸盤８’を図２（ａ）及び図２（ｂ）における取付孔６’に取り付けたボックス用ホルダ１’を同様に取り付け、吸盤８，８’の吸着面１１，１１’側を図６（ｂ）のティッシュボックスＴの表面Ｔｇ側から見た斜視図、及びそのＣ−Ｃ断面である図７に表わすように、平坦な取付物品Ｚの表面に吸着力で取り付ける。この時、ガイド片３の端面１６は、前述のようにティッシュボックスＴの底面Ｔｄと略同一乃至は若干引っ込んで位置しているため取付物品Ｚの表面と近接しており、ガタツキの生じにくいものとなる。なお、図６（ｂ）中のＴｈは、ティッシュ取り出し口であり、図７におけるティッシュボックスＴの内部は、収容物の無い状態を表わしている。
【００３２】
図８（ａ）〜（ｃ）は本発明の第２の実施例を示す。
【００３３】
この実施例におけるボックス用ホルダ２１は、第１の実施例における器材取付部の態様が異なるだけであるので、重複する部分は省略して説明する。
【００３４】
即ち、器材取付部２２における器材取付片２３は、図８（ａ）に表わされる分解斜視図のようにガイド片３０の上方に逆Ｔ字型に形成され、基板２４の中央部に立設した吸盤取付板２５には、第１の実施例と同様な略瓢箪形状の取付孔２６が形成される。また、ここに使用する吸盤２７の軸部２８には太径部２８ａが形成されている。
【００３５】
そして、吸盤２７の先端部を器材取付片２３の取付孔２６へ第１の実施例同様に矢印の方向に差し込み、上方に引き上げると、図８（ｂ）に表わされる吸盤取り付け状態の斜視図、及び図８（ｃ）に表わされるＤ−Ｄ部分拡大断面図のように、吸盤２７はその軸部２８が吸盤取付板２５における取付孔２６の小径部２６ａに差し込まれて上下方向の位置決めがなされ、太径部２８ａにより左右方向に移動不可に取り付けられる。なお、吸着面２９は第１の実施例同様にガイド片３０から僅かに突出した状態となる。
【００３６】
また、吸盤取付板２５は、ガイド片３０から延設された基板２４の中央部に設けられているため、吸盤２７を図示する方向と反対側からも取り付けることができるので、この実施例においても吸盤２７の取り付け方向を組み替えることにより、ボックスの両側面に対応させることができる。また、この実施例においては第１の実施例より器材取付片２３の厚さを薄くできるので、小型化を図ることができる利点がある。
【００３７】
これまで述べた、第１の実施例及び第２の実施例においては、器材取付部５，２２として吸盤８，８’，２７を用いた態様を示したが、吸盤８，８’，２７を使わず、その取付孔１６，１６’，２６自体を各種器材から突出する釘状の突出部に引っ掛ける器材取付部として使用することができる。
【００３８】
また、器材取付部は他の構造によっても実施が可能であり、次に、図９に表わす磁石を用いた本発明の第３の実施例について説明する。
【００３９】
この実施例は、第１の実施例における吸盤部分を磁石に置き替えたものであり、共通部分の説明については省略する。即ち、図９（ａ）に表わす斜視図及び図９（ｂ）に表わすＥ−Ｅ断面図のように、ボックス用ホルダ３１における器材取付部３２は、袋状に形成された器材取付片３３の両側面に凹部３４，３４’を形成しており、そこに磁石３５，３５’が接着等により取り付けられている。なお、磁石３５，３５’の表面は磁気吸着面３６，３６’として作用し、実施例においてはガイド片３７から０．５ｍｍ程度突出させている。但し突出量については適宜に設定しても良い。
【００４０】
なお、磁石３５，３５’は、板状のハードフェライト粉末と有機高分子粘結材からなるボンド磁石等適宜の磁石が用いられる。
【００４１】
この実施例においても、ボックス用ホルダ３１の磁気吸着面３６を使用する場合と、磁気吸着面３６’使用する場合のいずれにおいても、爪部３８がガイド片３７の内側に突出することになるため、ボックスの両側面に対応させることができる。
【００４２】
この実施例によれば、ボックス用ホルダ３１の磁石３５，３５’を冷蔵庫等の平坦な強磁性体物品に磁気吸着により取り付けることができる。
【００４３】
図１０（ａ）に表わす斜視図及び図１０（ｂ）に表わすＦ−Ｆ断面図は本発明の第４の実施例を示す。
【００４４】
この実施例は、第３の実施例における磁石を小型で磁力の強いネオジ磁石等を使用したものであり、ボックス用ホルダ４１の器材取付片４３の両側面に磁石４５，４５，４５，４５が接着等で取り付けられている。他の構成や作用は第３の実施例と同様である。
【００４５】
これまでの実施例は、ボックス用ホルダの器材取付部が爪部の突出方向と同じ方向に突出して形成されて、幅方向に収納性の良いものであったが、器材取付部は他の位置に形成しても良く、その場合は、これまでの実施例とは異なった利点を生じさせることができる。
【００４６】
図１１及び図１２は本発明の第５の実施例を表わしたものである。
【００４７】
この実施例は、基本構成は第１の実施例と同様であるが、器材取付部をボックス取付部のガイド片における爪部の形成面と反対側の面に設けた点が異なっており、以下、異なる点を主体に説明する。
【００４８】
図１１（ａ）で表わす吸盤取り付け前の分解斜視図及び図１１（ｂ）で表わす吸盤取り付け状態の斜視図のように、ボックス用ホルダ５１の器材取付片５６は、ガイド片５３と爪部５４で形成されるボックス取付部５５に対して、爪部５４の突出方向と反対側に突出するように形成される。
【００４９】
そして、器材取付片５６は第１の実施例と同様に袋状に形成され、両側面に略瓢箪型の取付孔５７，５７’（図示せず）が設けられて各々の取付孔に吸盤５８が取り付けられるようになっており、図１１（ｂ）のように取り付けられ器材取付部５９が形成される。
【００５０】
この構成によれば、ボックス用ホルダ５１はボックスの側面に取り付ける場合に器材取付部５９がボックスの上面と干渉することが無いため、全高を低くすることができる利点があり、図１２の斜視図に表わすようにティッシュボックスＴにボックス用ホルダ５１及び吸盤を反対方向から取り付けて反転させたボックス用ホルダ５１’を取り付けた状態において、ティッシュボックスＴの上面Ｔｅからの突出量を少なくすることができる。なお、図中、ＴｄはティッシュボックスＴの底面を表わす。
【００５１】
図１３及び図１４は本発明の第６の実施例を表わしたものである。
【００５２】
この実施例におけるボックス用ホルダは、器材取付部をティッシュボックスの底面に沿うように形成した点がこれまでの各実施例と異なる。
【００５３】
ボックス用ホルダ６１は、図１３（ａ）に表わす一側面用ホルダ６１ａと、図１３（ｂ）に表わす他側面用ホルダ６１ｂとの一対の部材で構成されている。
【００５４】
図１３（ａ）に表わす一側面用ホルダ６１ａは、ガイド片６３ａと爪部６４ａからなるボックス取付部６５ａに、爪部６４ａの突出方向と同じ方向で、かつ、ガイド片６３ａの片方の端面側に略直角に折れ曲がって延設された器材取付部６９ａで構成される。そして、この器材取付部６９ａには、Ｇ−Ｇ断面図である図１３（ｃ）に表わすように板状の磁石６８ａが器材取付片６７ａに接着等により取り付けられている。
【００５５】
なお、この実施例においては、一側面用ホルダ６１ａをティッシュボックスの反対側の側面に爪部の開放方向を同じとして取り付けることができないため、図１３（ａ）におけるガイド片６３ａの他方の端面に略直角に延設した器材取付部を設けたもの、即ち図１３（ｂ）に表わす他側面用ホルダ６１ｂが必要となる。この図に表されるように、他側面用ホルダ６１ｂの器材取付部６９ｂを図１３（ａ）に表される一側面用ホルダ６１ａと同じ方向にした時に、他側面用ホルダ６１ｂのボックス取付部６５ｂ及び爪部６４ｂは、一側面用ホルダ６１ａのボックス取付部６５ａ及び爪部６４ａと対向することになる。
【００５６】
図１４はティッシュボックスＴの側面Ｔａ，Ｔａ’に一側面用ホルダ６１ａと他側面用ホルダ６１ｂを取り付けた状態を表わした斜視図であり、器材取付部６９ａ，６９ｂはティッシュボックスＴの底面Ｔｄに沿った状態で取り付けられるため、ボックス用ホルダ６１はティッシュボックスＴからの突出部分の少ないコンパクトな態様とすることができる。
【００５７】
図１５及び図１６は、本発明の第６の実施例における変形例である、第７の実施例を表わす。
【００５８】
この実施例は、第６の実施例と異なり、１つのボックス用ホルダでティッシュボックスの両側面に対応できるようにしたものであり、図１５（ａ）の斜視図および図１５（ｂ）に表わすＨ−Ｈ断面図のように、ボックス用ホルダ７１は、ボックス取付部７５と器材取付部７９を波型スプリングピン等の回転ピン７６により回動自在に取り付けて構成されている。
【００５９】
そして、ボックス取付部７５のガイド片７３における片方の面の上部に爪７４ａが上向きに先端を開放するように形成され、他方の面の下部に爪７４ａと同一形状の爪７４ｂが下向きに先端を開放するように形成されている。また、器材取付部７９は、器材取付片７７の両面に板状の磁石７８ａ、７８ｂが接着等により取り付けられている。
【００６０】
ティッシュボックスの片方の側面には、図１５（ａ）に表わす状態で使用でき、ティッシュボックスの他方の側面に使用する場合は、爪７４ｂ側に器材取付部７９を矢印の方向に回転させ、さらに上下を逆にすると、図１５（ａ）の状態とは磁石の方向が同一で、しかも爪７４ｂは上向きに先端を開放した状態で対向するように位置させることができる。従って、ティッシュボックスの両方の側面に対応することができる。
【００６１】
図１６は、ティシュボックスＴの片方の側面Ｔａに図１５（ａ）で表わしたボックス用ホルダ７１を取り付け、他方の側面Ｔａ’に上述の方法で爪の位置を変えた状態のボックス用ホルダ７１’を取り付けた状態を表わす斜視図であり、第６の実施例と同様にティシュボックスＴの底面Ｔｄに器材取付片７９，７９’が沿った状態となる。なお、この時ボックス用ホルダ７１’の磁石は７８ｂ’が露出することになる。
【００６２】
この実施例においては、第６の実施例と同様に、ボックス用ホルダの器材取付部をティッシュボックスの底面に沿わせて取り付けることができるので、突出部の小さなコンパクトなボックス用ホルダとすることができると共に、一つの部材でティッシュボックスの両側面に対応させることができる利便性を生じさせることができる。
【００６３】
図１７及び図１８は、本発明の第６の実施例における他の変形例である、第７の実施例を表わす。
【００６４】
この実施例におけるボックス用ホルダ８１は、図１７（ａ）に表わす斜視図及びＪ−Ｊ断面図である図１７（ｂ）のように、ボックス取付部８５の両端に波型スプリングピン等の回転ピン８６，８６’によって、二つの器材取付部８９ａ，８９ｂを回動自在に取り付けたことを特徴としている。
【００６５】
即ち、ガイド片８３の内側方向に爪部８４を配置したボックス取付部８５の両端には、該爪部８４とは反対方向に露出する磁石８８ａ、８８ｂを器材取付片８７ａ、８７ｂに、接着等で取り付けた器材取付部８９ａ，８９ｂが、回転ピン８６，８６’によって回動自在に取り付けられている。
【００６６】
なお、図１７（ｂ）に表わすように、器材取付部８９ａ，８９ｂに溝部９０ａ，９０ｂを形成し、そこにボックス取付部８５のガイド片８３に形成した突部９１ａ，９１ｂを介在させるようにすると、器材取付部８９ａ，８９ｂの回動範囲を略９０度に規制することができ、後述するティッシュボックスに取り付けた時、ガタツキが生じにくくなるので好ましい。但し、この回動規制構造は、この実施例に限ることなく適宜の手段で実施しても良い。
【００６７】
図１８は、ティシュボックスＴに本実施例によるボックス用ホルダ８１，８１’を取り付けた斜視図を表わしたものである。順序として、先ずティシュボックスＴの片方の側面Ｔａに図１７（ａ）で示す状態のボックス用ホルダ８１を用いて、片方の器材取付部８９ａをティッシュボックスＴの底面Ｔｄに沿わせるように取り付ける。次に、ボックス用ホルダ８１と同構成のボックス用ホルダ８１’を、その片方の器材取付部８９ａ’をボックス取付部８５’と直線的に連続するように回動させ、さらに他方の器材取付部８９ｂ’をボックス取付部８５’と略直角となるように回動させた状態とし、該他方の器材取付部８９ｂ’がティシュボックスＴの底面Ｔｄに沿うようにティシュボックスＴにおける他方の側面Ｔａ’に取り付ける。
【００６８】
この実施例においても、第６の実施例と同様に、ボックス用ホルダの器材取付部をティッシュボックスの底面に沿わせて取り付けることができるので、突出部の小さなコンパクトなボックス用ホルダとすることができると共に、一つの部材でティッシュボックスの両側面に対応させることができる利便性を生じさせることができる。
【００６９】
本発明は、これまで述べた実施例に限らず、各種変形して実施することができる。
【００７０】
例えば、図１１及び図１２で表わした第５の実施例における器材取付部に吸盤に替えて磁石を用いても良い。
【００７１】
また、図１３〜図１８に表わした、第６の実施例〜第８の実施例における器材取付部は、吸盤或いは吸盤取り付け用等の取付孔を使用することもできる。
【００７２】
さらに、器材取付部は複合した取り付け構造として使用することもでき、第１の実施例の変形である図１９（ａ）〜（ｃ）に表わす第９の実施例のようにすることができる。
【００７３】
即ち、図１９（ａ）に表わす分解斜視図、図１９（ｂ）に表わす吸盤取り付け状態の斜視図、図１９（ｃ）に表わすＹ−Ｙ断面図のように、ボックス用ホルダ９１は、ガイド片９３及び爪部９４からなるボックス取付部９２の上部に、器材取付部９９が形成されている。そして、器材取付部９９における器材取付片９５の下部の両側面には磁石９８，９８が設けられ、上部の両側面には器材からの突出物の引っ掛け用取付孔を兼ねた、吸盤の取付孔９６，９６が設けられていて、吸盤９７を着脱自在に取り付けることができる構成となっている。従って、各種取り付け器材に対し、三つの取り付け構造で対応することができる。
【００７４】
なお、器材取付部の構成は、これまで述べた取付孔、吸盤、磁石を必ずしも用いる必要はなく、粘着テープ等による各種接着構造や、その他適宜の係止構造を採用することができる。
【００７５】
また、ボックス用ホルダの被着体となるボックスも、解体用の切り込みのあるティッシュボックスに限らず、側面に切り込みのあるもの、或いは切り込みを設けることのできるものであれば、同様に使用することができる。
【００７６】
【発明の効果】
本発明は、ティッシュボックス等のボックスの側面に形成された解体用等の切り込みを利用して取り付けるボックス用ホルダとしたので、小型で取り付け作業がしやすく、しかも取り付けも確実にできるため安定した取り付け強度を得ることができる。
【図面の簡単な説明】
【図１】本発明による第１の実施例における斜視図を表わし、（ａ）は分解状態、（ｂ）は吸盤取り付け状態を示す。
【図２】本発明による第１の実施例における各種断面形状を表したものであり、（ａ）はＡ−Ａ断面図、（ｂ）はＢ−Ｂ断面図、（ｃ）は（ｂ）の部分拡大図、（ｄ）は（ｃ）における爪部の変形例を示す。
【図３】本発明による第１の実施例におけるボックス用ホルダを取り付ける前の状態を表わす斜視図を示す。
【図４】本発明におけるボックス用ホルダを取り付ける、ティッシュボックスに形成された各種の解体用切り込み形状（ａ）、（ｂ）、（ｃ）を表わす。
【図５】本発明による第１の実施例におけるボックス用ホルダのティッシュボックスへの装着手順を表わす断面図であり、（ａ）は装着前、（ｂ）は装着状態、（ｃ）は（ｂ）の部分拡大図を示す。
【図６】本発明による第１の実施例におけるボックス用ホルダをティッシュボックスに取り付けた斜視図を表わし、（ａ）はティッシュボックスの底面方向から見た状態、（ｂ）はティッシュボックスの表面方向から見た状態を示す。
【図７】本発明による第１の実施例におけるボックス用ホルダを、ティッシュボックスに取り付けた状態で、取付物品に吸着させた状態を示すＣ−Ｃ断面図である。
【図８】本発明による第２の実施例を表わし、（ａ）は分解斜視図、（ｂ）は吸盤取り付け状態の斜視図、（ｃ）はＤ−Ｄ部分拡大断面図を示す。
【図９】本発明による第３の実施例を表わし、（ａ）は斜視図、（ｂ）はＥ−Ｅ断面図を示す。
【図１０】本発明による第４の実施例を表わし、（ａ）は斜視図、（ｂ）はＦ−Ｆ断面図を示す。
【図１１】本発明による第５の実施例の斜視図を表わし、（ａ）は分解状態、（ｂ）は吸盤取り付け状態を示す。
【図１２】本発明による第５の実施例におけるボックス用ホルダをティッシュボックスに取り付けた状態の斜視図を示す。
【図１３】本発明による第６の実施例を表し、（ａ）は一側面用ホルダの斜視図、（ｂ）は他側面用ホルダの斜視図、（ｃ）はＧ−Ｇ断面図を示す。
【図１４】本発明による第６の実施例におけるボックス用ホルダをティッシュボックスに取り付けた状態の斜視図を示す。
【図１５】本発明による第７の実施例を表し、（ａ）は斜視図、（ｂ）はＨ−Ｈ断面図を示す。
【図１６】本発明による第７の実施例におけるボックス用ホルダをティッシュボックスに取り付けた状態の斜視図を示す。
【図１７】本発明による第８の実施例を表し、（ａ）は斜視図、（ｂ）はＪ−Ｊ断面図を示す。
【図１８】本発明による第８の実施例におけるボックス用ホルダをティッシュボックスに取り付けた状態の斜視図を示す。
【図１９】本発明による第９の実施例を表わし、（ａ）は分解斜視図、（ｂ）は吸盤取り付け状態の斜視図、（ｃ）はＹ−Ｙ断面図を示す。
【符号の説明】
Ｒ、Ｒ１、Ｒ２、Ｒ３  （解体用の）切り込み
Ｓ  切り離し片
Ｓ１  切り込み孔
Ｊ  突出量
Ｋ  間隙寸法
Ｋ’  高さ寸法
Ｌ、Ｍ  幅位置寸法
Ｌ’  高さ寸法
Ｎ  幅寸法
Ｚ  取付物品
Ｔ  ティッシュボックス
Ｔａ、Ｔａ’  側面
Ｔｂ  上折り返し面
Ｔｃ  下折り返し面
Ｔｄ  底面
Ｔｅ  上面
Ｔｆ  下面
Ｔｇ  表面
Ｔｈ  ティッシュ取り出し口
１  ボックス用ホルダ
２  ホルダ本体
３  ガイド片
４、４’  爪部
４ａ  根元
５  ボックス取付部
６、６’  取付孔
６ａ  大径部
６ｂ  小径部
７  器材取付片
７ａ、７ｂ  吸盤取付壁
８、８’  吸盤
９  先端部
１０  軸部
１１、１１’  吸着面
１２  器材取付部
１３  切り欠き
１４  湾曲部
１５  突起部
１６  端面
２１  ボックス用ホルダ
２２  器材取付部
２３  器材取付片
２４  基板
２５  吸盤取付板
２６  取付孔
２７  吸盤
２８  軸部
２８ａ  太径部
２９  吸着面
３０  ガイド片
３１、４１  ボックス用ホルダ
３２  器材取付部
３３、４３  器材取付片
３４、３４’  凹部
３５、３５’、４５  磁石
３６、３６’  磁気吸着面
３７  ガイド片
３８  爪部
５１、５１’  ボックス用ホルダ
５３  ガイド片
５４  爪部
５５  ボックス取付部
５６  器材取付片
５７、５７’  取付孔
５８  吸盤
５９  器材取付部
６１、７１、７１’、８１、８１’  ボックス用ホルダ
６１ａ  一側面用ホルダ
６１ｂ  他側面用ホルダ
６３ａ、７３、８３  ガイド片
６４ａ、６４ｂ、７４ａ、７４ｂ、８４  爪部
６５ａ、６５ｂ、７５、８５、８５’  ボックス取付部
６７ａ、７７、８７ａ、８７ｂ  器材取付片
６８ａ、７８ａ、７８ｂ、７８ｂ’、８８ａ、８８ｂ  磁石
６９ａ、６９ｂ、７９、７９’、８９ａ、８９ａ’、８９ｂ、８９ｂ’  器材取付部
７６、８６、８６’  回転ピン
９０ａ、９０ｂ  溝部
９１ａ、９１ｂ  突部
９１  ボックス用ホルダ
９２  ボックス取付部
９３  ガイド片
９４  爪部
９５  器材取付片
９６  取付孔
９７  吸盤
９８  磁石
９９  器材取付部
【図１】
2004148016.tif 000003
【図２】
2004148016.tif 000004
【図３】
2004148016.tif 000005
【図４】
2004148016.tif 000006
【図５】
2004148016.tif 000007
【図６】
2004148016.tif 000008
【図７】
2004148016.tif 000009
【図８】
2004148016.tif 000010
【図９】
2004148016.tif 000011
【図１０】
2004148016.tif 000012
【図１１】
2004148016.tif 000013
【図１２】
2004148016.tif 000014
【図１３】
2004148016.tif 000015
【図１４】
2004148016.tif 000016
【図１５】
2004148016.tif 000017
【図１６】
2004148016.tif 000018
【図１７】
2004148016.tif 000019
【図１８】
2004148016.tif 000020
【図１９】
2004148016.tif 000021
【手続補正書】
【提出日】平成15年8月19日(2003.8.19)
【手続補正１】
【補正対象書類名】明細書
【補正対象項目名】００１２
【補正方法】変更
【補正の内容】
【００１２】
また、ボックス取付部をボックスの側面に取り付けた際、ガイド片の側方の端面から直角に折れ曲がって形成された器材取付部がボックスの側面の端部から折れ曲がって形成された底面と略同一に沿うように爪部をボックス側面の切り込み内に配置した場合は、ボックス用ホルダとボックス間の間隙が少ないため、その取り付け状態が安定するので好ましい。


【手続補正２】
【補正対象書類名】明細書
【補正対象項目名】００２９
【補正方法】変更
【補正の内容】
【００２９】
この状態で、ボックス用ホルダ１を上方に引き上げると爪部４の上端が湾曲部１４により大きく開口しているため、爪部４はティシュボックスＴにおける切り込みＲの上方の内面をスムーズに移動し、図５（ｂ）の装着状態の断面図及び図５（ｃ）の部分拡大断面図に表わすように爪部４の根元４ａが切り込みＲに当接し装着が完了する。この時、ティッシュボックスＴの側面Ｔａはボックス用ホルダの１のガイド片３と爪部４の突起部１５間に、該突起部１５が元の位置に戻ろうとする反発力によって挟持されることになるため確実に取り付けられる。